(57)【要約】【課題】シールド板が、配線基板の半田面とは反対側に配置された場合でも、シールド板と配線基板とを導通させて、配線基板からの電磁波の発生を抑制することが可能で、かつ、外力などの応力が加わった場合でも、導通させることが可能なプロジェクタを提供する。【解決手段】このプロジェクタでは、電源基板１９の半田面１９ａとシールド板２０とに接触するように装着される、ネジ止め用の孔部２１ｄを含む導通クリップ２１を備えている。導通クリップ２１は、金属製の板バネ材からなり、一対の挟持部２１ａおよび２１ｂと、これらを連結する連結部２１ｃとからなるコの字形状を有している。また、挟持部２１ａおよび２１ｂの開口端の角部は、平面的に見て、導通クリップ２１の挿入方向Ｘに延びる中心線２００に対して対象な形状となる面取部２１ｅを有している。【選択図】図７
2007004025.tif 000002
【特許請求の範囲】
【請求項１】
映像を投影するための投影部と、電源を供給するための電源用の配線基板と、前記配線基板の半田面とは反対面側に配置され、前記配線基板からの電磁波の発生を抑制するための金属製のシールド板と、前記配線基板に取り付けられる樹脂製の電源ケーブル接続部とを備えたプロジェクタにおいて、
前記シールド板は、前記電源用の配線基板の下面側に配置されており、
ネジ止め用の孔部を含むとともに、前記配線基板の上面側の半田面と、前記シールド板とに接触するように水平方向から取り付けられる金属製の板バネ材からなる導通クリップをさらに備え、
前記導通クリップは、第１開口端を有する第１挟持部および第２開口端を有する第２挟持部からなる挟持部と、前記第１挟持部および前記第２挟持部を連結する連結部とからなるコの字形状を有し、かつ、前記第１挟持部の第１開口端の角部および前記第２挟持部の第２開口端の角部に、それぞれ、平面的に見て、前記導通クリップの挿入方向に延びる中心線に対して対象な形状となる面取部を有し、
前記導通クリップの前記第１挟持部の第１開口端および前記第２挟持部の第２開口端には、それぞれ、前記導通クリップにより挟持される前記配線基板および前記電源ケーブル接続部の厚みよりも、前記第１開口端の先端部と前記第２開口端の先端部との間隔が大きくなるように外側に折り曲げられた第１折曲部および第２折曲部が一体的に設けられており、
前記配線基板には、前記導通クリップの位置決め用の段差部が設けられている、プロジェクタ。
【請求項２】
映像を投影するための投影部と、
配線基板と、
前記配線基板の半田面とは反対面側に配置され、前記配線基板からの電磁波の発生を抑制するための金属製のシールド板と、
ネジ止め用の孔部を含むとともに、前記配線基板の半田面と前記シールド板とに接触するように取り付けられる導通クリップとを備えた、プロジェクタ。
【請求項３】
前記導通クリップは、金属製の板バネ材からなるとともに、第１挟持部および第２挟持部からなる挟持部と、前記第１挟持部および前記第２挟持部を連結する連結部とからなるコの字形状を有し、
前記挟持部の開口端側の角部は、面取部を有している、請求項２に記載のプロジェクタ。
【請求項４】
前記導通クリップは、前記第１挟持部の第１開口端の角部および前記第２挟持部の第２開口端の角部に、それぞれ、平面的に見て、前記導通クリップの挿入方向に延びる中心線に対して対象な形状となる面取部を有している、請求項２または３に記載のプロジェクタ。
【請求項５】
前記導通クリップの前記第１挟持部の第１開口端および前記第２挟持部の第２開口端には、それぞれ、前記導通クリップにより挟持される前記配線基板および前記電源ケーブル接続部の厚みよりも、前記第１開口端の先端部と前記第２開口端の先端部との間隔が大きくなるように外側に折り曲げられた第１折曲部および第２折曲部が一体的に設けられている、請求項２〜４のいずれか１項に記載のプロジェクタ。
【請求項６】
前記配線基板には、前記導通クリップの位置決め用の段差部が設けられている、請求項２〜５のいずれか１項に記載のプロジェクタ。
【発明の詳細な説明】
【技術分野】
【０００１】
この発明は、プロジェクタに関し、特に、シールド板が取り付けられた配線基板を備えたプロジェクタに関する。
【背景技術】
【０００２】
従来、配線基板からの電磁波の発生を抑制するために、配線基板にシールド板を取り付けるとともに、配線基板とシールド板との導通をとるための構造が知られている（たとえば、特許文献１および２参照）。
【０００３】
上記特許文献１には、配線基板の半田面側にシールド板を配置し、配線基板の半田面とシールド板とを直接当接させた状態で、クランプ用バネを用いて配線基板とシールド板とを互いに押圧させることによって、配線基板とシールド板との導通を確保するシールド板の取り付け構造が記載されている。
【０００４】
また、上記特許文献２には、挟持部材によりシールド板を挟持し、挟持部材の平面部を配線基板の半田面に半田付けすることによって、配線基板の半田面とシールド板との導通を確保するシールド構造を備えた電子機器の構造が記載されている。
【０００５】
また、従来、基板を挟持することによって、基板の表面側と裏面側とを導通させることが可能な導通クリップの構造が知られている（特許文献３参照）。
【０００６】
上記特許文献３には、コの字状に形成された保持金具と、その開放端の間から出し入れ可能に取り付けられるとともに保持金具とは別体で設けられたガイド金具とを備え、絶縁性の基板の表面側と裏面側とに導電性の基板を有する基板をコの字状の保持金具で挟持することによって、表面側の導電性の基板と裏面側の導電性の基板とを導通させることができる導通クリップの構造が記載されている。  
【０００７】
また、従来、シールド板が取り付けられた電源基板を備えたプロジェクタが知られている。この従来のプロジェクタでは、電源基板の半田面側にシールド板が配置されているとともに、シールド板が直接半田面に接触し、ネジによって電源基板にシールド板が固定されることによって、電源基板とシールド板とが導通される。
【特許文献１】特開平１１−２４３２９３号公報
【特許文献２】特開２００３−１１０２７４号公報
【特許文献３】特開平９−２２３５２７号公報
【発明の開示】
【発明が解決しようとする課題】
【０００８】
しかしながら、従来のプロジェクタでは、シールド板が電源基板の半田面側に配置されていることを前提として、電源基板の半田面にシールド板が直接接触している構造であるため、電源基板の半田面とは反対側にシールド板が配置される場合には、電源基板の半田面にシールド基板を直接接触させることが困難になるという不都合がある。このため、電源基板の半田面とは反対側にシールド板が配置された場合には、電源基板の半田面とシールド板とを導通させることが困難になるので、電源基板の電磁波の発生を抑制することが困難になるという問題点がある。
【０００９】
また、上記特許文献１および２では、シールド板が配線基板の半田面側に配置されていることを前提として、配線基板の半田面にシールド板が直接接触しているか、または、挟
持部材を介して半田面に半田付けされているため、配線基板の半田面とは反対側にシールド板が配置された場合には、配線基板の半田面とシールド板とを導通させることが困難であるという不都合がある。その結果、上記従来のプロジェクタの場合と同様に、配線基板の半田面とは反対側にシールド板が配置された場合には、配線基板とシールド板との接続が困難となるので、配線基板の電磁波の発生を抑制することが困難になるという問題点がある。
【００１０】
また、上記特許文献３では、導通クリップで基板を挟持することにより、基板の表面側と裏面側とを導通させることができるので、シールド板が配線基板の半田面とは反対側に配置されていた場合でも、導通クリップで配線基板とシールド板とを挟持することにより配線基板の半田面とシールド板とを導通させることが可能である。しかしながら、特許文献３に記載された導通クリップは、ネジ止めされる構造を有していないため、外力などの応力が加わった場合に、外れやすいという問題点がある。したがって、この特許文献３の導通クリップを、上記した従来のプロジェクタの電源基板の半田面とは反対側にシールド板が配置される構造に用いた場合にも、導通クリップが外力などにより外れやすいという同様の問題が生じる。
【００１１】
この発明は、上記のような課題を解決するためになされたものであり、この発明の１つの目的は、シールド板が、配線基板の半田面とは反対側に配置された場合でも、シールド板と配線基板とを導通させて、配線基板からの電磁波の発生を抑制することが可能で、かつ、外力などの応力が加わった場合でも、導通させることが可能なプロジェクタを提供することである。
【課題を解決するための手段】
【００１２】
この発明の第１の局面におけるプロジェクタは、映像を投影するための投影部と、電源を供給するための電源用の配線基板と、配線基板の半田面とは反対面側に配置され、配線基板からの電磁波の発生を抑制するための金属製のシールド板と、配線基板に取り付けられる樹脂製の電源ケーブル接続部とを備えたプロジェクタにおいて、シールド板は、電源用の配線基板の下面側に配置されており、ネジ止め用の孔部を含むとともに、配線基板の上面側の半田面と、シールド板とに接触するように水平方向から取り付けられる金属製の板バネ材からなる導通クリップをさらに備え、導通クリップは、第１開口端を有する第１挟持部および第２開口端を有する第２挟持部からなる挟持部と、第１挟持部および第２挟持部を連結する連結部とからなるコの字形状を有し、かつ、第１挟持部の第１開口端の角部および第２挟持部の第２開口端の角部に、それぞれ、平面的に見て、導通クリップの挿入方向に延びる中心線に対して対象な形状となる面取部を有し、導通クリップの第１挟持部の第１開口端および第２挟持部の第２開口端には、それぞれ、導通クリップにより挟持される配線基板および電源ケーブル接続部の厚みよりも、第１開口端の先端部と第２開口端の先端部との間隔が大きくなるように外側に折り曲げられた第１折曲部および第２折曲部が一体的に設けられており、配線基板には、導通クリップの位置決め用の段差部が設けられている。
【００１３】
この第１の局面によるプロジェクタでは、上記のように、配線基板の上面側の半田面と配線基板の下面側に配置されるシールド板とに接触するように取り付けられる導通クリップを備えることにより、配線基板の半田面とは反対面側にシールド板を配置したとしても、導通クリップにより、配線基板とシールド板との導通をとることができるので、配線基板から発生する電磁波を抑制することができる。また、導通クリップにネジ止め用の孔部を含むように構成することにより、導通クリップのネジ止め用の孔部を介して、シールド板を配線基板に取り付けることができるので、ネジの締め付け力によって導通クリップの挟持部を配線基板の半田面およびシールド板に強固に固定することができる。その結果、外力などが加わった場合にも、導通クリップが外れるのを抑制することができる。また、
導通クリップの挟持部の開口端側の角部を、面取部を有するように構成することにより、配線基板の半田面に設けられた導電部から導通クリップまでの配線基板に沿った最短距離である沿面距離を大きくすることができるので、配線基板から発生する電磁波を抑制するために必要な沿面距離を確保することができる。また、導通クリップを、第１挟持部の第１開口端の角部および第２挟持部の第２開口端の角部に、それぞれ、平面的に見て、導通クリップの挿入方向に延びる中心線に対して対象な形状となる面取部を有するように構成することにより、導通クリップを水平方向から配線基板に取り付ける際に、第１挟持部および第２挟持部のどちらの挟持部が配線基板の半田面側に接触したとしても、配線基板に設けられた導電部から導通クリップまでの沿面距離を同様に大きくすることができるので、導通クリップの表面および裏面を考慮せずに配線基板に取り付けることができる。このため、導通クリップを配線基板に取り付ける際の作業効率を向上させることができる。また、導通クリップの第１挟持部の第１開口端および第２挟持部の第２開口端に、それぞれ、導通クリップにより挟持される配線基板および電源ケーブル接続部の厚みよりも、第１開口端の先端部と第２開口端の先端部との間隔が大きくなるように外側に折り曲げた第１折曲部および第２折曲部を設けることにより、導通クリップは、開口幅の大きい折曲部に沿って、配線基板および電源ケーブル接続部に挿入されるので、折曲部を挿入の際のガイドとして機能させることができる。これにより、導通クリップを配線基板に容易に取り付けることができる。また、折曲部を、導通クリップに一体的に設けることによって、ガイドとして機能する折曲部を設けたとしても、部品点数が増加するのを抑制することができる。また、配線基板に、導通クリップの位置決め用の段差部を設けることにより、段差部によって導通クリップの位置決めを容易に行うことができるので、導通クリップを配線基板に取り付ける際の作業効率をより向上させることができる。
【００１４】
この発明の第２の局面におけるプロジェクタは、映像を投影するための投影部と、配線基板と、配線基板の半田面とは反対面側に配置され、配線基板からの電磁波の発生を抑制するための金属製のシールド板と、ネジ止め用の孔部を含むとともに、配線基板の半田面とシールド板とに接触するように取り付けられる導通クリップとを備えている。
【００１５】
この第２の局面によるプロジェクタでは、上記のように、配線基板の半田面と配線基板の半田面とは反対面側に配置されるシールド板とに接触するように取り付けられる導通クリップを備えることにより、配線基板の半田面とは反対面側にシールド板を配置したとしても、導通クリップにより、配線基板とシールド板との導通をとることができるので、配線基板から発生する電磁波を抑制することができる。また、導通クリップにネジ止め用の孔部を含むように構成することにより、導通クリップのネジ止め用の孔部を介して、シールド板を配線基板に取り付けることができるので、ネジの締め付け力によって導通クリップの挟持部を配線基板の半田面およびシールド板に強固に固定することができる。その結果、外力などが加わった場合にも、導通クリップが外れるのを抑制することができる。
【００１６】
上記第２の局面によるプロジェクタにおいて、好ましくは、導通クリップは、金属製の板バネ材からなるとともに、第１挟持部および第２挟持部からなる挟持部と、第１挟持部および第２挟持部を連結する連結部とからなるコの字形状を有し、挟持部の開口端側の角部は、面取部を有している。このように構成すれば、配線基板の半田面に設けられた導電部から導通クリップまでの配線基板に沿った最短距離である沿面距離を大きくすることができるので、配線基板から発生する電磁波を抑制するために必要な沿面距離を確保することができる。
【００１７】
上記第２の局面によるプロジェクタにおいて、好ましくは、導通クリップは、第１挟持部の第１開口端の角部および第２挟持部の第２開口端の角部に、それぞれ、平面的に見て、導通クリップの挿入方向に延びる中心線に対して対象な形状となる面取部を有している。このように構成すれば、導通クリップを水平方向から配線基板に取り付ける際に、第１
挟持部および第２挟持部のどちらの挟持部が配線基板の半田面側に接触したとしても、配線基板に設けられた導電部から導通クリップまでの沿面距離を同様に大きくすることができるので、導通クリップの表面および裏面を考慮せずに配線基板に取り付けることができる。このため、導通クリップを配線基板に取り付ける際の作業効率を向上させることができる。
【００１８】
上記第２の局面によるプロジェクタにおいて、好ましくは、導通クリップの第１挟持部の第１開口端および第２挟持部の第２開口端には、それぞれ、導通クリップにより挟持される配線基板および電源ケーブル接続部の厚みよりも、第１開口端の先端部と第２開口端の先端部との間隔が大きくなるように外側に折り曲げられた第１折曲部および第２折曲部が一体的に設けられている。このように構成すれば、導通クリップは、開口幅の大きい折曲部に沿って、配線基板および電源ケーブル接続部に挿入されるので、折曲部を挿入の際のガイドとして機能させることができる。これにより、導通クリップを配線基板に容易に取り付けることができる。また、折曲部を、導通クリップに一体的に設けることによって、ガイドとして機能する折曲部を設けたとしても、部品点数が増加するのを抑制することができる。
【００１９】
上記第２の局面によるプロジェクタにおいて、好ましくは、配線基板には、導通クリップの位置決め用の段差部が設けられている。このように構成すれば、段差部によって導通クリップの位置決めを容易に行うことができるので、導通クリップを配線基板に取り付ける際の作業効率をより向上させることができる。
【発明を実施するための最良の形態】
【００２０】
以下、本発明を具体化した実施形態を図面に基づいて説明する。
【００２１】
図１は、本発明の一実施形態によるプロジェクタの全体構成を示した斜視図である。図２は、図１に示した一実施形態によるプロジェクタの平面図である。図３は、図１に示した一実施形態によるプロジェクタの電源部の全体斜視図である。図４は、図１に示した一実施形態によるプロジェクタの電源部の平面図である。図５〜図１７は、図１に示した一実施形態によるプロジェクタの電源部の構造を説明するための図である。まず、図１および図２を参照して、本発明の一実施形態によるプロジェクタの構造について説明する。
【００２２】
本発明の一実施形態によるプロジェクタは、図１に示すように、前部フレーム１、後部フレーム２、上部フレーム３および下部フレーム４を備えている。また、前部フレーム１の一方の端部側（矢印Ａ方向側）の部分には、映像を投影するための投影レンズ５が挿入されるレンズ挿入部１ａが形成されている。また、図１および図２に示すように、前部フレーム１の中央の部分から他方の端部側（矢印Ｂ方向側）の部分には、放熱のための排気口１ｂが設けられている。
【００２３】
また、図２に示すように、下部フレーム４の前部フレーム１の近傍には、ランプケースホルダ７が設置され、ランプケースホルダ７の内部には、光源ランプ６が装着されたランプケース７ａが収納されている。また、図２に示すように、光源ランプ６は、光源としてのガラス製のバルブ６ａと、バルブ６ａが発する光を反射して集光するための金属製のリフレクタ６ｂとを備えている。また、下部フレーム４の一方（矢印Ａ方向）側の側面には、メインスイッチ８が設けられている。
【００２４】
また、下部フレーム４には、レンズ装着部９ａを備えたＭｇ製のキャスティング９が設置されている。また、キャスティング９のレンズ装着部９ａには、投影レンズ５が装着されている。また、キャスティング９には、光源ランプ６の光源から照射された光が集光される位置に、光を矩形状に成形するためのライトトンネル１０が取り付けられている。こ
のライトトンネル１０は、光源ランプ６からの光が入射される入口部１０ａおよび入射された光が出射される出口部１０ｂを有するとともに、筒状の４面体形状に形成されている。また、ライトトンネル１０の出口部１０ｂ側には、ライトトンネル１０によって成形された光が透過するレンズ（図示せず）を含む透過部材１１がキャスティング９に取り付けられている。また、キャスティング９には、透過部材１１を透過した光を反射するためのミラー１２が設置されている。また、キャスティング９の外側には、ミラー１２によって反射された光をさらに反射して投影レンズ５に光を供給するためのＤＭＤ素子１３が設けられている。このＤＭＤ素子１３は、表面に多数の反射部を有するとともに、それら多数の反射部を画像信号に応じて変位させ、反射光の有無によって画像を形成する。また、ＤＭＤ素子１３とミラー１２との間には、レンズ１４が設けられている。このレンズ１４は、ミラー１２によって反射された光をＤＭＤ素子１３の反射部に集光する機能を有する。また、ＤＭＤ素子１３は、プリント基板１５に取り付けられている。このプリント基板１５には、ＤＭＤ素子１３の熱を放熱するためのヒートシンク部材１６が取り付けられている。
【００２５】
また、下部フレーム４の後部フレーム２の近傍には、図１および図２に示すように、プロジェクタの電源部１７が設置されている。
【００２６】
電源部１７は、図３〜図７に示すように、ＡＣインレット１８が取り付けられた電源基板１９と、金属製のシールド板２０と、電源基板１９と金属製のシールド板２０とを導通させるための導通クリップ２１とを備えている。なお、ＡＣインレット１８は、本発明の「電源ケーブル接続部」の一例である。また、図９および図１０に示すように、ＡＣインレット１８は、絶縁性の樹脂で成形された本体部１８ａに、電源ケーブル（図示せず）を挿入するための挿入部１８ｂが設けられた形状を有している。また、ＡＣインレット１８の挿入部１８ｂの内部には、電源ケーブルと電気的に接続するための３本の端子１８ｃが設けられている。また、ＡＣインレット１８の本体部１８ａの上面には、挿入部１８ｂの３本の端子１８ｃとそれぞれ電気的に接続されているとともに、電源基板１９の厚さよりも大きい長さを有する３つの突出部１８ｄが設けられている。また、ＡＣインレット１８の本体部１８ａの上面には、電源基板１９にシールド板２０を取り付ける際に、ネジ２２を通すための孔部１８ｅが設けられている。また、図１１および図１２に示すように、ＡＣインレット１８は、電源基板１９の上面側の半田面１９ａとは反対側の部品面（下面）に取り付けられ、半田面１９ａ側に突出したＡＣインレット１８の突出部１８ｄを電源基板１９に半田付けすることにより電源基板１９に固定されている。
【００２７】
また、電源基板１９には、図１１に示すように、ＡＣインレット１８の３つの突出部１８ｄが挿入される３つの孔部１９ｂが設けられている。また、電源基板１９のコーナー部近傍には、シールド板２０を取り付けるためのネジ２２を通す孔部１９１ｃ、１９２ｃ、１９３ｃおよび１９４ｃが設けられている。また、図１３に示すように、ネジ２２を通す孔部１９１ｃには、導通クリップ２１が取り付けられた際に、導通クリップ２１と半田付部１９ｄとの接触面積が大きくなるように、半田付部１９ｄが放射状に複数設けられている。
【００２８】
ここで、本実施形態では、図１３に示すように、電源基板１９の導通クリップ２１が取り付けられる位置の側面部には、導通クリップ２１を位置決めするための段差部１９ｅが設けられている。  
【００２９】
また、シールド板２０には、図７に示すように、電源基板１９を支持するための上方に突出した支持部２０ａが４つ設けられている。また、シールド板２０の支持部２０ａには、電源基板１９を固定するためのネジ穴２０ｂが設けられている。
【００３０】
また、導通クリップ２１は、図１４〜図１７に示すように、板バネ材により、一対の挟持部２１ａおよび２１ｂと、一対の挟持部２１ａおよび２１ｂを連結する連結部２１ｃとからコの字状に構成されている。また、図１７に示すように、導通クリップ２１の挟持部２１ａおよび２１ｂは、折り曲げ角度θが９０°未満の角度で折り曲げられている。なお、一対の挟持部２１ａおよび２１ｂは、それぞれ、本発明の「第１挟持部」および「第２挟持部」の一例である。
【００３１】
ここで、本実施形態では、図１４に示すように、導通クリップ２１の一対の挟持部２１ａおよび２１ｂには、ネジ止め用の孔部２１ｄが設けられている。また、本実施形態では、図１５に示すように、導通クリップ２１の挟持部２１ａおよび２１ｂのそれぞれの開口端の角部に、平面的に見て、導通クリップ２１の挿入方向Ｘに延びる中心線２００に対して対象な形状となる面取部（斜めカット形状部）２１ｅをそれぞれ有している。
【００３２】
また、図１７に示すように、導通クリップ２１の連結部２１ｃの長さＨは、導通クリップ２１により挟持される電源基板１９の半田付部１９ｄおよびＡＣインレット１８の厚みＩ（図６参照）と同程度の大きさを有する長さを有している。これにより、電源基板１９とＡＣインレット１８とが導通クリップ２１の挟持部２１ａおよび２１ｂによって挟持された際に、挟持部２１ａおよび２１ｂの挟持面が電源基板１９およびＡＣインレット１８にそれぞれ面接触される。
【００３３】
また、本実施形態では、図１６および図１７に示すように、導通クリップ２１の挟持部２１ａおよび２１ｂの開口端に、導通クリップ２１により挟持される電源基板１９およびＡＣインレット１８の厚さＩよりも、開口端の先端部２１ｆの間隔Ｊが大きくなるように外側に折り曲げられた折曲部２１ｇが一体的に設けられている。  
【００３４】
次に、図２を参照して、本発明の一実施形態によるプロジェクタの動作について説明する。まず、メインスイッチ８を入力すると、電源部１７によりプロジェクタ本体に電力が供給される。そして、図２に示すように、光源ランプ６のバルブ６ａから発する光が、光源ランプ６のリフレクタ６ｂによって集光されることにより、ライトトンネル１０の入口部１０ａに入射される。その後、ライトトンネル１０の入口部１０ａに入射された光は、ライトトンネル１０により矩形状に成形されてライトトンネル１０の出口部１０ｂから出射される。ライトトンネル１０の出口部１０ｂから出射された光は、矢印Ｃ方向に進行するとともに、透過部材１１を透過してミラー１２に入射される。ミラー１２に入射した光は、ミラー１２によって矢印Ｄ方向に反射される。このミラー１２によって反射された光は、レンズ１４を介してＤＭＤ素子１３に入射される。ＤＭＤ素子１３に入射された光は、ＤＭＤ素子１３によって矢印Ｅ方向に反射されて投影レンズ５に供給される。これにより、投影レンズ５からスクリーンなどに映像が投影される。
【００３５】
次に、図３〜図８を参照して、本実施形態によるプロジェクタの電源基板１９とシールド板２０との導通方法（組立方法）について説明する。まず、図７に示すように、電源基板１９の放射状に設けられた複数の半田付部１９ｄに導通クリップ２１の開口端を水平方向から矢印Ｘ方向に挿入する。これにより、板バネ材で加工されるとともに、挟持部２１ａおよび２１ｂの折曲角度θが９０°未満の角度で折曲られているため、導通クリップ２１の板バネ材の弾性力によって、図８に示すように、電源基板１９およびＡＣインレット１８は、導通クリップ２１に挟持された状態となる。
【００３６】
ここで、本実施形態では、図６に示すように、導通クリップ２１の連結部２１ｃの長さＨが、電源基板１９およびＡＣインレット１８の厚さＩとほぼ同程度の大きさの長さとなっているため、導通クリップ２１が装着された状態では、導通クリップ２１の挟持部２１ａおよび２１ｂは、電源基板１９の半田面１９ａの半田付部１９ｄおよびＡＣインレット
１８にほぼ平行に接触する。また、図４に示すように、導通クリップ２１の開口端の折曲部２１ｇとは反対側のコーナー部に面取部（斜めカット形状部）２１ｅを有していることにより、導通クリップ２１が装着された状態では、導通クリップ２１と電源基板１９の半田面１９ａ側に突出したＡＣインレット１８の突出部１８ｄとの電源基板１９に沿った最短距離である沿面距離Ｆが大きくなるように構成されており、１０ｍｍ以上となっている。なお、挟持部２１ａおよび２１ｂが面取部２１ｅを有していない場合には、図４に示すように、導通クリップ２１と、電源基板１９の半田面１９ａ側に突出したＡＣインレット１８の突出部１８ｄとの電源基板１９に沿った最短距離である沿面距離Ｇは、本実施形態の沿面距離Ｆに比べて短くなり、１０ｍｍ以下となる。
【００３７】
また、本実施形態では、導通クリップ２１の開口端の面取部２１ｅは、平面的に見て、挟持部２１ａおよび２１ｂで挿入方向Ｘに延びる中心線２００に対して対象な形状となっているため（図１５参照）、導通クリップ２１を装着する際に、導通クリップ２１の表面および裏面のいずれを電源基板１９の半田面１９ａの半田付部１９ｄに接触させても、導通クリップ２１は同じように電源基板１９に取り付けられる。また、電源基板１９の導通クリップ２１が挟持される位置に段差部１９ｅが設けられているので（図１３参照）、導通クリップ２１を装着する際に、導通クリップ２１の両側面部は、電源基板１９に設けられた段差部１９ｅと電源基板１９に取り付けられたＡＣインレット１８の本体部１８ａとに、それぞれ、当接して両側面部の位置決めがされた状態で矢印Ｘ方向（図７参照）に挿入される。そして、図６に示すように、導通クリップ２１の連結部２１ｃの内面部が電源基板１９の側面と当接することにより、または、導通クリップ２１の挟持部２１ａおよび２１ｂの先端部２１ｆがＡＣインレット１８の本体部１８ａと当接することにより挿入方向Ｘの位置決めがされる。これにより、導通クリップ２１は、電源基板１９に対して所定の位置に挟持される。この状態では、導通クリップ２１は、導通クリップ２１の両側面部に対して直交する２方向および導通クリップ２１の挿入方向Ｘの３方向で電源基板１９に対する位置決めがされた状態となっている。
【００３８】
次に、図８に示すように、導通クリップ２１が装着された電源基板１９を、シールド板２０の４つの支持部２０ａに当接させる。
【００３９】
次に、図３および図８に示すように、導通クリップ２１が装着された電源基板１９は、電源基板１９の半田面１９ａが上側になるように、半田面１９ａとは反対側の部品面側をシールド板２０の４つの支持部２０ａに当接させる。これにより、電源基板１９は、シールド板２０の４つの支持部２０ａによって、電源基板１９の半田面１９ａが上方になるように支持されている状態となる。
【００４０】
次に、図３、図６および図８に示すように、導通クリップ２１が装着された電源基板１９は、４本のネジ２２を用いて、電源基板１９の４つの孔部１９１ｃ、１９２ｃ、１９３ｃおよび１９４ｃを介して、シールド板２０の４つの支持部２０ａにそれぞれ設けられたネジ穴２０ｂに固定する。これにより、電源基板１９の孔部１９１ｃに装着された導通クリップ２１の挟持部２１ａおよび２１ｂは、図６に示すように、ネジ２２の締め付け力により、電源基板１９の半田面１９ａの半田付部１９ｄおよびシールド板２０の支持部２０ａに強固に固定される。
【００４１】
上記のようにして、シールド板２０が、電源基板１９の半田面（上面）１９ａとは反対側の部品面（下面）側に配置された場合でも、本実施形態の導通クリップ２１を用いて、シールド板２０が電源基板１９の半田面１９ａの半田付部１９ｄと導通した状態で、電源部１７が組立られる。
【００４２】
本実施形態では、上記のように、電源基板１９の上面側の半田面１９ａと電源基板１９
の下面側に配置されるシールド板２０とに接触するように取り付けられる導通クリップ２１を備えることにより、電源基板１９の半田面１９ａとは、反対側の部品面側にシールド板２０を配置したとしても、導通クリップ２１により、電源基板１９とシールド板２０との導通をとることができるので、電源基板１９から発生する電磁波を抑制することができる。
【００４３】
また、本実施形態では、導通クリップ２１にネジ止め用の孔部２１ｄを含むように構成することにより、導通クリップ２１のネジ止め用の孔部２１ｄを介して、シールド板２０を電源基板１９に取り付けることができるので、ネジ２２による締め付け力によって導通クリップ２１の挟持部２１ａおよび２１ｂを電源基板１９の半田面１９ａおよびシールド板２０に強固に固定することができる。その結果、外力などが加わった場合にも、導通クリップ２１が外れるのを抑制することができる。
【００４４】
また、本実施形態では、導通クリップ２１の挟持部２１ａおよび２１ｂの開口端側の角部を、面取部２１ｅを有するように構成することにより、電源基板１９の半田面１９ａ側に突出したＡＣインレット１８の突出部１８ｄから導通クリップ２１までの電源基板１９に沿った最短距離である沿面距離Ｆを１０ｍｍ以上の距離にすることができるので、電源基板１９から発生する電磁波を抑制するために必要な沿面距離である１０ｍｍ以上の距離を確保することができる。
【００４５】
また、本実施形態では、導通クリップ２１を、一対の挟持部２１ａおよび２１ｂのそれぞれの開口端の角部に、平面的に見て、一対の挟持部２１ａおよび２１ｂで導通クリップ２１の挿入方向Ｘに延びる中心線２００に対して対象な形状となる面取部２１ｅを有するように構成することにより、導通クリップ２１を水平方向から電源基板１９に取り付ける際に、一対の挟持部２１ａおよび２１ｂのどちらが配線基板の半田面１９ａ側に接触したとしても、電源基板１９の半田面１９ａ側に突出したＡＣインレット１８の突出部１９ｄから導通クリップ２１までの沿面距離Ｆを同様に大きくすることができるので、導通クリップ２１の表面および裏面を考慮せずに電源基板１９に取り付けることができる。このため、導通クリップ２１を電源基板１９に取り付ける際の作業効率を向上させることができる。
【００４６】
また、本実施形態では、導通クリップ２１の挟持部２１ａおよび２１ｂの開口端に、それぞれ、導通クリップ２１により挟持される電源基板１９およびＡＣインレット１８の厚みＩよりも、開口端の先端部２１ｆの間隔Ｊが大きくなるように外側に折り曲げられた折曲部２１ｇを設けることにより、導通クリップ２１は、開口幅の大きい折曲部２１ｇに沿って、ＡＣインレット１８および電源基板１９折曲部に挿入されるので、折曲部２１ｇを挿入の際のガイドとして機能させることができる。これにより、導通クリップ２１を電源基板１９に容易に取り付けることができる。
【００４７】
また、本実施形態では、折曲部２１ｇを、導通クリップ２１に一体的に設けることによって、ガイドとして機能する折曲部２１ｇを設けたとしても、部品点数が増加するのを抑制することができる。
【００４８】
また、本実施形態では、電源基板１９に、導通クリップ２１の位置決め用の段差部１９ｅを設けることにより、段差部１９ｅによって導通クリップ２１の位置決めを容易に行うことができるので、導通クリップ２１を電源基板１９に取り付ける際の作業効率をより向上させることができる。
【００４９】
なお、今回開示された実施形態は、すべての点で例示であって制限的なものではないと考えられるべきである。本発明の範囲は、上記した実施形態の説明ではなく特許請求の範
囲によって示され、さらに特許請求の範囲と均等の意味および範囲内でのすべての変更が含まれる。
【００５０】
たとえば、上記実施形態では、本発明を、電源基板の半田面とは反対側の部品面側にシールド板を取り付けた構造に適用した例を示したが、本発明はこれに限らず、電源基板以外の配線基板の半田面とは反対側の部品面側にシールド板を取り付けた構造に適用してもよい。
【００５１】
また、上記実施形態では、導通クリップの挟持部の開口端の角部を面取部を有する形状に構成した例を示したが、本発明はこれに限らず、導通クリップと電源基板の半田面側に突出した電源ケーブル接続部の突出部との電源基板に沿った最短距離Ｆが、１０ｍｍ以上となれば、導通クリップの挟持部の形状が、面取部を有する形状以外の形状であってもよい。たとえば、平面的に見て凹状の丸形形状であってもよい。
【００５２】
また、上記実施形態では、電源基板に、導通クリップの位置決め用の段差部を設けることにより、導通クリップの位置決めをする例を示したが、本発明はこれに限らず、段差部以外の位置決め部を設けてもよい。たとえば、電源基板に突出部を設けることにより、導通クリップの位置決めをするようにしてもよい。
【図面の簡単な説明】
【００５３】
【図１】本発明の一実施形態によるプロジェクタの全体構成を示した斜視図である。
【図２】図１に示した一実施形態によるプロジェクタの平面図である。
【図３】図１に示した一実施形態によるプロジェクタの電源部の全体斜視図である。
【図４】図１に示した一実施形態によるプロジェクタの電源部の平面図である。
【図５】図１に示した一実施形態によるプロジェクタの電源部の側面図である。
【図６】図３の１００−１００線に沿った断面図である。
【図７】図１に示した一実施形態によるプロジェクタの電源部の分解斜視図である。
【図８】図１に示した一実施形態によるプロジェクタの電源部の分解斜視図である。
【図９】図１に示した一実施形態によるプロジェクタのＡＣインレットの全体斜視図である。
【図１０】図１に示した一実施形態によるプロジェクタのＡＣインレットの正面図である。
【図１１】図１に示した一実施形態によるプロジェクタの電源基板の上面図である。
【図１２】図１に示した一実施形態によるプロジェクタの電源基板の下面図である。
【図１３】図１に示した一実施形態によるプロジェクタの電源基板の半田付部の拡大図である。
【図１４】図１に示した一実施形態によるプロジェクタの導通クリップの全体斜視図である。
【図１５】図１に示した一実施形態によるプロジェクタの導通クリップの正面図である。
【図１６】図１に示した一実施形態によるプロジェクタの導通クリップの平面図である。
【図１７】図１に示した一実施形態によるプロジェクタの導通クリップの側面図である。
【符号の説明】
【００５４】
１８      ＡＣインレット（電源ケーブル接続部）
１９      電源基板（配線基板）
１９ａ    半田面
１９ｄ    半田付部
１９ｅ    段差部
２０      シールド板
２０ａ    支持部
２０ｂ    ネジ穴
２１      導通クリップ
２１ａ    挟持部（第１挟持部）
２１ｂ    挟持部（第２挟持部）
２１ｃ    連結部
２１ｄ    孔部
２１ｅ    面取部
２１ｇ    折曲部
【図１】
2007004025.tif 000003
【図２】
2007004025.tif 000004
【図３】
2007004025.tif 000005
【図４】
2007004025.tif 000006
【図５】
2007004025.tif 000007
【図６】
2007004025.tif 000008
【図７】
2007004025.tif 000009
【図８】
2007004025.tif 000010
【図９】
2007004025.tif 000011
【図１０】
2007004025.tif 000012
【図１１】
2007004025.tif 000013
【図１２】
2007004025.tif 000014
【図１３】
2007004025.tif 000015
【図１４】
2007004025.tif 000016
【図１５】
2007004025.tif 000017
【図１６】
2007004025.tif 000018
【図１７】
2007004025.tif 000019